(57)【要約】【課題】不正目的で遊技制御ユニットを取り外そうとする不正行為者の作業を長引かせることができ、不正行為の摘発や防止を促進することができる遊技機を提供する。【解決手段】カバー体２７は、カバー係合部９０とカバー解除操作部９１とカバー解除被覆部材９２とを備え、カバー解除被覆部材９２を当該カバー体２７に対して着脱可能とし、カバー解除被覆部材９２を取り付けた状態でカバー体２７を閉状態へ変換すると、露出状態のカバー係合部９０をベース部材２２へ係合し、この係合状態でカバー解除操作部９１をカバー解除被覆部材９２とベース部材２２とで囲繞してカバー係合部９０とベース部材２２との係合状態の解除を規制し、ベース部材２２とカバー係合部９０とが係合した状態でカバー解除被覆部材９２を取り外すと、カバー解除操作部９１を露出してカバー係合部９０とベース部材２２との係合状態の解除を許容するように構成した。【選択図】図５
2008073196.tif 000002
【特許請求の範囲】
【請求項１】
遊技盤の裏面側に配置されたベース部材と、該ベース部材またはその近傍に着脱可能な状態で配置された遊技制御ユニットと、ベース部材の裏面側に開閉自在な状態で軸着されたカバー体と、を備え、該カバー体により少なくとも遊技制御ユニットの一部を後方から被覆可能とした遊技機において、
前記カバー体は、ベース部材へ係合可能なカバー係合部と、該カバー係合部に接続され、カバー係合部とベース部材との係合状態を解除可能なカバー解除操作部と、カバー係合部を露出した状態でカバー解除操作部を被覆可能なカバー解除被覆部材と、を備え、カバー解除被覆部材を当該カバー体に対して着脱可能とし、
前記カバー解除被覆部材を取り付けた状態でカバー体を閉状態へ変換すると、露出状態のカバー係合部をベース部材へ係合し、この係合状態でカバー解除操作部をカバー解除被覆部材とベース部材とで囲繞してカバー係合部とベース部材との係合状態の解除を規制し、
前記ベース部材とカバー係合部とが係合した状態でカバー解除被覆部材を取り外すと、カバー解除操作部を露出してカバー係合部とベース部材との係合状態の解除を許容するように構成されたことを特徴とする遊技機。
【請求項２】
前記遊技制御ユニットは、遊技盤の一部へ配線接続するための遊技制御コネクタ部を後方へ露出した状態で備え、
前記カバー体は、遊技制御ユニットの遊技制御コネクタ部を後方から被覆可能なコネクタ保護部を備え、
前記カバー体を閉状態へ変換すると、コネクタ保護部を遊技制御コネクタ部へ後方から接近して該遊技制御コネクタ部からの配線の取り外しを阻止するように構成されたことを特徴とする請求項１に記載の遊技機。
【請求項３】
前記遊技制御ユニットは、ユニット装着部を介して遊技盤に配置され、
前記ユニット装着部は、遊技盤の裏面側に止着された装着ベースと、該装着ベースの裏面側に開閉自在な状態で軸着された装着開閉部と、を備え、該装着開閉部の裏面側に遊技制御ユニットを止着部材を介して着脱可能な状態で装着し、
前記装着開閉部は、装着ベースへ係合可能な装着係合部と、該装着係合部に接続され、装着係合部と装着ベースとの係合状態を解除可能な装着解除操作部と、装着係合部を露出した状態で装着解除操作部を被覆可能な装着解除被覆部材と、を備え、装着解除被覆部材を当該装着開閉部に対して着脱可能とし、
前記装着解除被覆部材を取り付けた状態で装着開閉部を閉状態へ変換すると、露出状態の装着係合部を装着ベースへ係合し、この係合状態で装着解除操作部を装着解除被覆部材と装着ベースとで囲繞して装着係合部と装着ベースとの係合状態の解除を規制し、
前記装着係合部と装着ベースとが係合した状態で装着解除被覆部材を取り外すと、装着解除操作部を露出して装着係合部と装着ベースとの係合状態の解除を許容するように構成されたことを特徴とする請求項１または請求項２に記載の遊技機。
【請求項４】
前記装着開閉部と装着解除被覆部材とを複数の被覆止着部材を介して止着し、
該被覆止着部材の一部は、装着開閉部と遊技制御ユニットと装着解除被覆部材とを止着することを特徴とする請求項３に記載の遊技機。
【請求項５】
前記遊技制御ユニットには、ユニット側係止部を設け、
前記装着解除被覆部材には、ユニット側係止部に係止可能な被覆側係止部を設け、
前記装着解除被覆部材を取り付けた状態で遊技制御ユニットを装着開閉部へ装着すると、ユニット側係止部と被覆側係止部とが係止して遊技制御ユニットが装着開閉部から外れることを規制し、
前記ユニット側係止部と被覆側係止部とが係止した状態で装着開閉部から装着解除被覆部材を取り外すと、ユニット側係止部と被覆側係止部との係止状態が解除されて遊技制御ユニットが装着開閉部から外れることを許容するように構成されたことを特徴とする請求項３または請求項４に記載の遊技機。
【請求項６】
前記ベース部材には、カバー係合部を挿入して係合するカバー係合受開口部と、該カバー係合受開口部に連通する連通口と、を開設し、
前記カバー解除被覆部材には、連通口を閉成可能な閉成部と、該閉成部の端部に設けられ、連通口に挿通可能な挿通部と、を備え、
前記カバー解除被覆部材を取り付けた状態でカバー体を閉状態へ変換してカバー係合部をベース部材へ係合すると、閉成部が連通口を閉成し、
前記カバー係合部とベース部材とが係合した状態でカバー解除被覆部材を取り外すと、連通口が露出し、この露出した連通口に挿通部を挿通してカバー係合部を押圧して、カバー係合受開口部との係合状態を解除可能とすることを特徴とする請求項１から請求項５のいずれかに記載の遊技機。
【発明の詳細な説明】
【技術分野】
【０００１】
本発明は、遊技盤の裏面側に配置されたベース部材と、該ベース部材またはその近傍に着脱可能な状態で配置された遊技制御ユニットと、ベース部材の裏面側に設けられたカバー体とを備えたパチンコ遊技機等の遊技機に関する。
【背景技術】
【０００２】
従来の遊技機、例えば、パチンコ遊技機においては、遊技盤の裏面側に様々な構成部品、具体的には、画像表示装置（液晶表示盤）等の役物部材の取付基部となるベース部材（裏ケース）や、遊技の制御を行うための遊技制御ユニット（主制御基板ケース）等を備えている。また、ベース部材の裏面側には、役物部材等を保護するカバー体（蓋）を備えている。そして、ベース部材の下方に遊技制御ユニットを配置し、カバー体の下部を下方へ延設して遊技制御ユニットの上部を被覆したパチンコ遊技機が提案されている。このような構成のパチンコ遊技機では、遊技制御ユニットを取り外すためには、その前にカバー体を取り外す必要がある。このため、不正目的で遊技制御ユニットが取り外される不都合を抑えることができる（例えば、特許文献１参照）。
【特許文献１】特開２００１−１０４５９７号公報
【発明の開示】
【発明が解決しようとする課題】
【０００３】
ところで、上記特許文献のパチンコ遊技機では、カバー体の一側を役物部材の一側方（具体的には、前面枠の一側）へ突出片を介して係合し、この係合状態でカバー体の他側を止着機構により役物部材の他側方（具体的には、前面枠の他側）へ嵌脱自在な状態で止着している。そして、止着機構の止着状態を解除すれば、カバー体を容易に取り外せるように構成されている。
【０００４】
しかしながら、カバー体を容易に取り外せるとなると、不正目的のために遊技制御ユニットを取り外そうとする者にとっては、邪魔なカバー体を容易に排除して遊技制御ユニットを迅速に取り外すことができてしまう。この結果、不正行為の防止を十分に行うことができず、改善の余地を残している。
【０００５】
本発明は、上記の事情に鑑みてなされたものであり、その目的は、不正目的で遊技制御ユニットを取り外そうとする不正行為者の作業を長引かせることができ、不正行為の摘発や防止を促進することができる遊技機を提供しようとするものである。
【課題を解決するための手段】
【０００６】
本発明は、上記目的を達成するために提案されたものであり、請求項１に記載のものは、遊技盤の裏面側に配置されたベース部材と、該ベース部材またはその近傍に着脱可能な状態で配置された遊技制御ユニットと、ベース部材の裏面側に開閉自在な状態で軸着されたカバー体と、を備え、該カバー体により少なくとも遊技制御ユニットの一部を後方から被覆可能とした遊技機において、
前記カバー体は、ベース部材へ係合可能なカバー係合部と、該カバー係合部に接続され、カバー係合部とベース部材との係合状態を解除可能なカバー解除操作部と、カバー係合部を露出した状態でカバー解除操作部を被覆可能なカバー解除被覆部材と、を備え、カバー解除被覆部材を当該カバー体に対して着脱可能とし、
前記カバー解除被覆部材を取り付けた状態でカバー体を閉状態へ変換すると、露出状態のカバー係合部をベース部材へ係合し、この係合状態でカバー解除操作部をカバー解除被覆部材とベース部材とで囲繞してカバー係合部とベース部材との係合状態の解除を規制し、
前記ベース部材とカバー係合部とが係合した状態でカバー解除被覆部材を取り外すと、カバー解除操作部を露出してカバー係合部とベース部材との係合状態の解除を許容するように構成されたことを特徴とする遊技機である。
【０００７】
請求項２に記載のものは、前記遊技制御ユニットは、遊技盤の一部へ配線接続するための遊技制御コネクタ部を後方へ露出した状態で備え、
前記カバー体は、遊技制御ユニットの遊技制御コネクタ部を後方から被覆可能なコネクタ保護部を備え、
前記カバー体を閉状態へ変換すると、コネクタ保護部を遊技制御コネクタ部へ後方から接近して該遊技制御コネクタ部からの配線の取り外しを阻止するように構成されたことを特徴とする請求項１に記載の遊技機である。
【０００８】
請求項３に記載のものは、前記遊技制御ユニットは、ユニット装着部を介して遊技盤に配置され、
前記ユニット装着部は、遊技盤の裏面側に止着された装着ベースと、該装着ベースの裏面側に開閉自在な状態で軸着された装着開閉部と、を備え、該装着開閉部の裏面側に遊技制御ユニットを止着部材を介して着脱可能な状態で装着し、
前記装着開閉部は、装着ベースへ係合可能な装着係合部と、該装着係合部に接続され、装着係合部と装着ベースとの係合状態を解除可能な装着解除操作部と、装着係合部を露出した状態で装着解除操作部を被覆可能な装着解除被覆部材と、を備え、装着解除被覆部材を当該装着開閉部に対して着脱可能とし、
前記装着解除被覆部材を取り付けた状態で装着開閉部を閉状態へ変換すると、露出状態の装着係合部を装着ベースへ係合し、この係合状態で装着解除操作部を装着解除被覆部材と装着ベースとで囲繞して装着係合部と装着ベースとの係合状態の解除を規制し、
前記装着係合部と装着ベースとが係合した状態で装着解除被覆部材を取り外すと、装着解除操作部を露出して装着係合部と装着ベースとの係合状態の解除を許容するように構成されたことを特徴とする請求項１または請求項２に記載の遊技機である。
【０００９】
請求項４に記載のものは、前記装着開閉部と装着解除被覆部材とを複数の被覆止着部材を介して止着し、
該被覆止着部材の一部は、装着開閉部と遊技制御ユニットと装着解除被覆部材とを止着することを特徴とする請求項３に記載の遊技機である。
【００１０】
請求項５に記載のものは、前記遊技制御ユニットには、ユニット側係止部を設け、
前記装着解除被覆部材には、ユニット側係止部に係止可能な被覆側係止部を設け、
前記装着解除被覆部材を取り付けた状態で遊技制御ユニットを装着開閉部へ装着すると、ユニット側係止部と被覆側係止部とが係止して遊技制御ユニットが装着開閉部から外れることを規制し、
前記ユニット側係止部と被覆側係止部とが係止した状態で装着開閉部から装着解除被覆部材を取り外すと、ユニット側係止部と被覆側係止部との係止状態が解除されて遊技制御ユニットが装着開閉部から外れることを許容するように構成されたことを特徴とする請求項３または請求項４に記載の遊技機である。
【００１１】
請求項６に記載のものは、前記ベース部材には、カバー係合部を挿入して係合するカバー係合受開口部と、該カバー係合受開口部に連通する連通口と、を開設し、
前記カバー解除被覆部材には、連通口を閉成可能な閉成部と、該閉成部の端部に設けられ、連通口に挿通可能な挿通部と、を備え、
前記カバー解除被覆部材を取り付けた状態でカバー体を閉状態へ変換してカバー係合部をベース部材へ係合すると、閉成部が連通口を閉成し、
前記カバー係合部とベース部材とが係合した状態でカバー解除被覆部材を取り外すと、連通口が露出し、この露出した連通口に挿通部を挿通してカバー係合部を押圧して、カバー係合受開口部との係合状態を解除可能とすることを特徴とする請求項１から請求項５のいずれかに記載の遊技機である。
【発明の効果】
【００１２】
本発明によれば、以下のような優れた効果を奏する。
請求項１に記載の発明によれば、カバー体は、ベース部材へ係合可能なカバー係合部と、該カバー係合部に接続され、カバー係合部とベース部材との係合状態を解除可能なカバー解除操作部と、カバー係合部を露出した状態でカバー解除操作部を被覆可能なカバー解除被覆部材とを備え、カバー解除被覆部材を当該カバー体に対して着脱可能とし、カバー解除被覆部材を取り付けた状態でカバー体を閉状態へ変換すると、露出状態のカバー係合部をベース部材へ係合し、この係合状態でカバー解除操作部をカバー解除被覆部材とベース部材とで囲繞してカバー係合部とベース部材との係合状態の解除を規制し、ベース部材とカバー係合部とが係合した状態でカバー解除被覆部材を取り外すと、カバー解除操作部を露出してカバー係合部とベース部材との係合状態の解除を許容するように構成したので、組立作業に何ら支障を来たすことなくカバー体が容易に開放されることを防ぐことができ、遊技制御ユニットの少なくとも一部がカバー体で覆われる態を維持することができる。したがって、遊技制御ユニットの取り外し作業の手間を増やすことができる。このことから、不正目的で遊技制御ユニットを取り外そうとする不正行為者の作業を長引かせることができ、不正行為の摘発や防止を促進することができる。また、カバー体の閉成作業においては、カバー解除操作部が被覆されていたとしてもカバー体を閉じるだけでカバー係合部をベース部材へ係合することができ、簡単な動作でカバー体を閉状態にすることができる。
【００１３】
請求項２に記載の発明によれば、遊技制御ユニットは、遊技盤の一部へ配線接続するための遊技制御コネクタ部を後方へ露出した状態で備え、カバー体は、遊技制御ユニットの遊技制御コネクタ部を後方から被覆可能なコネクタ保護部を備え、カバー体を閉状態へ変換すると、コネクタ保護部を遊技制御コネクタ部へ後方から接近して該遊技制御コネクタ部からの配線の取り外しを阻止するように構成したので、不正目的で遊技制御ユニットを取り外そうとする不正行為者の作業を一層長引かせることができ、不正行為の摘発や防止をさらに促進することができる。
【００１４】
請求項３に記載の発明によれば、遊技制御ユニットは、ユニット装着部を介して遊技盤に配置され、ユニット装着部は、遊技盤の裏面側に止着された装着ベースと、該装着ベースの裏面側に開閉自在な状態で軸着された装着開閉部とを備え、該装着開閉部の裏面側に遊技制御ユニットを止着部材を介して着脱可能な状態で装着し、装着開閉部は、装着ベースへ係合可能な装着係合部と、該装着係合部に接続され、装着係合部と装着ベースとの係合状態を解除可能な装着解除操作部と、装着係合部を露出した状態で装着解除操作部を被覆可能な装着解除被覆部材とを備え、装着解除被覆部材を当該装着開閉部に対して着脱可能とし、装着解除被覆部材を取り付けた状態で装着開閉部を閉状態へ変換すると、露出状態の装着係合部を装着ベースへ係合し、この係合状態で装着解除操作部を装着解除被覆部材と装着ベースとで囲繞して装着係合部と装着ベースとの係合状態の解除を規制し、装着係合部と装着ベースとが係合した状態で装着解除被覆部材を取り外すと、装着解除操作部を露出して装着係合部と装着ベースとの係合状態の解除を許容するように構成したので、メーカーにおける遊技盤の組立作業においては、装着開閉部を開いて遊技盤から離し、遊技制御ユニットの取り付けを行い易くすることができる。これにより遊技盤の製造効率の向上を図ることができる。また、不正目的で遊技制御ユニットを取り外そうとする不正行為者の作業においては、装着開閉部を容易に開くことができず、遊技盤の本体側に遊技制御ユニットを配置した状態を維持することができる。したがって、遊技制御ユニットの取り外し作業を楽な姿勢で行おうとすることを阻止することができ、取り外し作業に手間取らせて作業完了を遅らせることができる。
【００１５】
請求項４に記載の発明によれば、装着開閉部と装着解除被覆部材とを複数の被覆止着部材を介して止着し、該被覆止着部材の一部は、装着開閉部と遊技制御ユニットと装着解除被覆部材とを止着するので、遊技制御ユニットと装着開閉部とを止着する部材を、装着解除被覆部材と装着開閉部とを止着する部材とは別個に設ける必要がない。したがって、遊技制御ユニットを止着する構成の製造コストを抑えることができる。また、不正行為者がどの止着部材を外せば遊技制御ユニットを取り外せるかを判別し難くなり、不正行為の遅延を促進することができる。
【００１６】
請求項５に記載の発明によれば、遊技制御ユニットには、ユニット側係止部を設け、装着解除被覆部材には、ユニット側係止部に係止可能な被覆側係止部を設け、装着解除被覆部材を取り付けた状態で遊技制御ユニットを装着開閉部へ装着すると、ユニット側係止部と被覆側係止部とが係止して遊技制御ユニットが装着開閉部から外れることを規制し、ユニット側係止部と被覆側係止部とが係止した状態で装着開閉部から装着解除被覆部材を取り外すと、ユニット側係止部と被覆側係止部との係止状態が解除されて遊技制御ユニットが装着開閉部から外れることを許容するように構成したので、装着解除被覆部材を取り外さなければ、遊技制御ユニットを取り外すことができないように構成することができる。したがって、不正行為者が遊技制御ユニットの取り外し作業に手間取り易くなり、この結果、不正行為の摘発や防止を図ることができる。
【００１７】
請求項６に記載の発明によれば、ベース部材には、カバー係合部を挿入して係合するカバー係合受開口部と、該カバー係合受開口部に連通する連通口とを開設し、カバー解除被覆部材には、連通口を閉成可能な閉成部と、該閉成部の端部に設けられ、連通口に挿通可能な挿通部とを備え、カバー解除被覆部材を取り付けた状態でカバー体を閉状態へ変換してカバー係合部をベース部材へ係合すると、閉成部が連通口を閉成し、カバー係合部とベース部材とが係合した状態でカバー解除被覆部材を取り外すと、連通口が露出し、この露出した連通口に挿通部を挿通してカバー係合部を押圧して、カバー係合受開口部との係合状態を解除可能としたので、カバー体を開放するための手間を増やすことができる。したがって、不正目的でカバー体を開いて遊技制御ユニットを取り外そうとする不正行為者の作業を一層長引かせることができ、不正行為の摘発や防止をさらに促進することができる。
【発明を実施するための最良の形態】
【００１８】
以下、代表的な遊技機であるパチンコ遊技機を例に挙げて、本発明の実施の最良の形態を図面に基づき説明する。図１はパチンコ遊技機の背面図である。なお、以下の説明においては、便宜上、特記しない限りパチンコ遊技機の遊技者側を「前」として前後方向および左右方向を示す。
【００１９】
パチンコ遊技機１は、外枠（機枠あるいは本体枠）２に、大きな開放開口を有する額縁状の前面枠（内枠）３の一側を開閉可能に取り付け、この前面枠３に遊技盤収納部４を前面枠３の開放開口の縁に沿って一体成型し、該遊技盤収納部４の裏面側に裏機構盤５を形成している。また、遊技盤収納部４および裏機構盤５には略矩形状の開口窓部６を、前面枠３の開放開口よりもひと回り小さくなる状態で開設している。そして、遊技盤収納部４内に遊技盤７を前面枠３の前方から交換可能な状態で取り付けるとともに、遊技盤７の後部（裏面側部）を開口窓部６から後方へ臨ませている。
【００２０】
また、裏機構盤５には、一連の裏機構部品が設けられている。具体的に説明すると、裏機構盤５の上部には球排出機構１０を取り付け、下部には排出制御装置１１、電源装置１２、中継基板１３等をそれぞれ取り付けている。球排出機構１０は、上流側から順に、球導出シュートを下部に備えた球タンク１４、球排出装置１５、球タンク１４の球導出シュートから球排出装置１５に遊技球を案内する案内流路１６、球排出装置１５から流下した遊技球をパチンコ遊技機１の前面の上皿（図示せず）へ案内する球流下路１７等を並べて設けたユニットであり、排出制御装置１１からの制御信号に基づいて遊技球の排出を実行するように構成されている。
【００２１】
次に、遊技盤７について説明する。
遊技盤７は、遊技盤７の本体となる矩形状の遊技盤本体２０を備え、該遊技盤本体２０の表面にガイドレール等の区画部材により囲まれた遊技領域を区画形成し、該遊技領域に大入賞口、一般入賞口、アウト口等を配設している（いずれも図示せず）。また、遊技領域の略中央部には中央開口部を開設し、該中央開口部にセンターケースを配設し、該センターケースの奥側（後側）に開口された窓部内に液晶表示装置等の表示装置を臨ませている（いずれも図示せず）。そして、図２および図３に示すように、遊技盤本体２０の裏面のうち、裏機構盤５等に開設した開口窓部６から臨む部分に、略矩形状の大きなベース部材２２と横長なユニット装着部２３とを上下に並べた状態で配置し、上側のベース部材２２の裏面側には演出制御ユニット（演出制御装置）２５を装着し、下側のユニット装着部２３の裏面側には遊技制御ユニット（遊技制御装置）２６を着脱可能な状態で装着している。さらに、演出制御ユニット２５と遊技制御ユニット２６の一部とを被覆可能なカバー体２７をベース部材２２の裏面側に開閉自在な状態で軸着している。
【００２２】
ベース部材２２は、遊技盤本体２０よりもひと回り小さな箱状の部材であり、遊技盤本体２０の裏面側の中央部分に止着されている。また、ベース部材２２の前面側を大きく開放し、この開放空間部に表示装置の後部を収容している。さらに、該開放空間部の周辺には樋状の球寄せ流路（図示せず）を備え、遊技盤７の表面に配置された入賞口のうちベース部材２２の前方に位置する入賞口に入賞した入賞球（賞を発生させた遊技球）を球寄せ流路へ誘導してベース部材２２の下方へ流下するように構成されている。そして、ベース部材２２の裏面側には演出制御装着部２９を備え、該演出制御装着部２９に演出制御ユニット２５をビスなど止着部材を用いて着脱可能な状態で装着している。
【００２３】
なお、演出制御ユニット２５は、遊技進行に伴って遊技盤７における演出（表示装置の表示内容、スピーカーからの効果音出力、装飾ランプの点灯等）を制御するためのものであり、演出制御基板（図示せず）を透明樹脂で成形された箱体状の演出制御ボックス３０に収納して構成されている。そして、演出制御基板にはＣＰＵ，ＲＯＭ，ＲＡＭ等の他に、遊技制御ユニット２６や表示装置，装飾ランプ，スピーカー等へ電気的に配線接続する複数の演出制御コネクタ部３１を実装し、この演出制御コネクタ部３１を演出制御ボックス３０の背面の一部、具体的には背面の下部に開設された複数のボックス開口部３２から後方へ露出させている。
【００２４】
また、ベース部材２２の裏面側のうち演出制御装着部２９の一側方（図３中、左側方）には、カバー体２７を軸支するカバー軸受部３４を上下に並べて配置し、演出制御装着部２９の他側方（図３中、右側方）には、縦長な矩形状のカバー係合受開口部３５（本発明における係合受開口部に相当）を開設し、該カバー係合受開口部３５にカバー体２７の一部を挿入してカバー体２７とベース部材２２とを係合できるように構成されている。
【００２５】
ユニット装着部２３は、ベース部材２２と略同じ横幅に設定された横長な装着部であり、図４に示すように、遊技盤本体２０の裏面側に止着された装着ベース３７と、該装着ベース３７の裏面側に開閉自在な状態で軸着された平板状の装着開閉部３８とを備えて構成されている。装着ベース３７は、遊技盤７に対向する前面側に樋状の球回収流路（図示せず）を備え、遊技盤７の表面に配置された入賞口のうちユニット装着部２３の前方に位置する入賞口に入賞した入賞球（賞を発生させた遊技球）、およびベース部材２２の球寄せ流路を流下してきた遊技球を球回収流路へ誘導して遊技盤７の下方へ流下するように構成されている。さらに、装着ベース３７の後部の一側（図４（ａ）中、左側）には、装着開閉部３８を軸支する装着軸受部３９を上下に並べて配置し、他側（図４（ａ）中、右側）には、縦長な矩形状の装着係合受開口部４０を開設している。
【００２６】
装着開閉部３８は、その一側縁（図４（ａ）中、左側縁）の上下両側に装着回動軸４２を縦向きに配置し、該装着回動軸４２を装着軸受部３９へ回動自在な状態で軸着して、装着回動軸４２を中心にして当該装着開閉部３８を前後方向へ開閉（回動）可能としている（図４（ｂ）参照）。また、装着開閉部３８の他側縁には、装着ベース３７へ係合可能な装着係合機構４３を備え、該装着係合機構４３の一部を装着係合受開口部４０へ挿入して係合することで、装着開閉部３８を装着ベース３７に対して閉じた状態に維持できるように構成されている。なお、装着係合機構４３については、後で詳細に説明する。
【００２７】
さらに、装着開閉部３８の裏面側には横長な遊技制御装着部４４を設定し、該遊技制御装着部４４の上下両側には、横長な装着溝部４５を装着開閉部３８の上下方向の中央へ向けて開放した状態で複数設けている。また、装着溝部４５の後部を区画する後側壁部のうち装着回動軸４２側（図４（ａ）中、左側）を後方へ開放して嵌脱部４６を形成し、該嵌脱部４６を介して遊技制御ユニット２６の一部を装着溝部４５へ嵌脱できるように構成されている。そして、遊技制御装着部４４の装着回動軸４２側（図４（ａ）中、左側）には、横長なスリットを上下に並べた状態で開設して横向き短冊状の撓み片４７を形成し、該撓み片４７の先端部（図４（ａ）中、左端部）には、遊技制御ユニット２６の一側端に係止する係止爪４８を後方へ向けて突設し、撓み片４７が前後に撓むことで係止爪４８が遊技制御装着部４４に出没できるように構成されている。さらに、遊技制御装着部４４のうち装着係合機構４３寄り（図４（ａ）中、右寄り）の位置には、止着ボス４９を上下に並ぶ状態で突設し、該止着ボス４９と装着係合機構４３との間には、電源装置１２と遊技制御ユニット２６との配線接続、および電源装置１２と演出制御ユニット２５との配線接続を中継するための中継基板５０を配置している。
【００２８】
なお、遊技制御ユニット２６は、遊技を統括的に制御する主制御装置として機能するユニットであり、遊技制御基板（図示せず）を透明樹脂で成形された箱体状の遊技制御ボックス５２に収納して構成されている。そして、遊技制御基板にはＣＰＵ，ＲＯＭ，ＲＡＭ等の他に、裏機構盤５の一部（例えば、排出制御装置１１、電源装置１２）や遊技盤７の一部（例えば、演出制御ユニット２５、各種検出センサ）等へ電気的に配線接続するための複数の遊技制御コネクタ部５３を実装し、この遊技制御コネクタ部５３を遊技制御ボックス５２の背面の一部、具体的には背面の上部及び下部に開設された複数のボックス開口部５４から後方へ露出させている。さらに、遊技制御ボックス５２の上部および下部には、装着開閉部３８の装着溝部４５に嵌合可能な装着突起５５を突設し、遊技制御ボックス５２の装着係合機構４３側の縁部（図４（ａ）中、右側縁部）には、止着ボス４９に止着される止着部５６を上下両側から側方へ延設している。また、遊技制御ユニット２６を装着開閉部３８へ取り付ける手順については、後で詳細に説明する。
【００２９】
次に、カバー体２７について説明する。なお、以下の説明の便宜上、特記しない限りカバー体２７に関する前後左右の位置および方向の記載は、カバー体２７をベース部材２２に対して閉じた姿勢（図２および図３参照）における位置および方向を示す。
カバー体２７は、演出制御ユニット２５やその下方に配置された遊技制御ユニット２６の一部を後方から被覆可能な略箱形状蓋材であり、図５（ａ）に示すように、略矩形状のカバー本体部６０を備え、該カバー本体部６０の上縁部および左右両縁部からカバー壁部６１をベース部材２２側（前方）へ向けて延設して、当該カバー体２７の前面および下面を大きく開口した状態に構成されている。また、カバー本体部６０には、縦長なスリット状の通気孔６２を複数開設し、カバー壁部６１のうちカバー体２７の一側（図２中、左側）に位置する部分の上下両側には、カバー回動軸６３を縦向きに配置し、該カバー回動軸６３をベース部材２２のカバー軸受部３４に回動自在な状態で軸着している（図２および図３参照）。したがって、カバー体２７は、図５（ｂ）に示すように、カバー回動軸６３を中心にして前後方向へ開閉（回動）できるように構成されている。また、カバー壁部６１のうちカバー体２７の他側（図５（ａ）中、右側）に位置する部分、すなわちカバー本体部６０を挟んでカバー回動軸６３とは反対側には、ベース部材２２へ係合可能なカバー係合機構６４を備え、該カバー係合機構６４の一部をカバー係合受開口部３５へ挿入して係合することで、ベース部材２２に対してカバー体２７を閉じた状態に維持できるように構成されている。さらに、カバー本体部６０の下縁部には、横長な板状のコネクタ保護部６５を下方へ向けて延設し、このコネクタ保護部６５を複数の遊技制御コネクタ部５３を十分に覆い隠すことができる程度の大きさ（広さ）に設定している。
【００３０】
そして、上記した開閉可能な構成部品を閉状態に維持可能な係合機構、すなわち装着係合機構４３およびカバー係合機構６４は、その係合対象となるベース構成部品（装着ベース３７、あるいはベース部材２２）との係合状態の解除を規制する状態と、係合状態の解除を許容する状態とに変換できるように構成されている。なお、以下の説明の便宜上、特記しない限り装着係合機構４３およびカバー係合機構６４に関する前後左右の位置および方向の記載は、カバー体２７をベース部材２２に対して閉じた姿勢、および装着開閉部３８を装着ベース３７に対して閉じた姿勢（図２、図３および図４（ａ）参照）における位置および方向を示す。
【００３１】
装着ベース３７に係合する装着係合機構４３は、図６（ａ）および図７に示すように、装着ベース３７の装着係合受開口部４０へ挿入して係合可能な装着係合部７０と、該装着係合部７０に接続された装着解除操作部７１と、装着係合部７０を露出した状態で装着解除操作部７１を被覆可能な装着解除被覆部材７２とを備えて構成されている。装着係合部７０は、装着開閉部３８の側部（図６（ａ）中、右側部）から遊技盤７側（前方）へ向けて延設された縦長短冊状の係合基部７３を備え、該係合基部７３の側方（図７（ａ）中、右側方）には、外方へ突出した形状の係合爪７４を上下に２つ並べて配置している。そして、各係合爪７４と係合基部７３の延設端（前端）とを断面略Ｕ字状の可撓部７５でそれぞれ接続するとともに、各係合爪７４のうち可撓部７５とは反対側の端部（後端部）を縦長短冊状の接続片７６で接続し、可撓部７５を撓ませることで２つの係合爪７４および接続片７６を一体にして左右方向へ移動できるように構成されている。また、接続片７６のうち係合爪７４とは反対側の縁部（後縁部）には、舌片状の装着解除操作部７１を可撓部７５とは反対方向（後方）へ向けて突設している。さらに、装着解除操作部７１と接続片７６との境界部分および装着開閉部３８と係合基部７３との境界部分に段差あるいは突起を設けてストッパー７７（操作側ストッパー７７ａおよび基部側ストッパー７７ｂ）を形成している（図７（ｂ）参照）。
【００３２】
なお、装着開閉部３８のうち装着係合部７０の上方および下方に位置する部分には、図６（ａ）に示すように、装着ベース３７の裏面側に当接可能な突出部７９を側方（図６（ａ）中、右側方）へ向けて突設し、該突出部７９に、装着解除被覆部材７２を止着するための被覆止着ボス８０を係合基部７３の延設方向とは反対方向（後方）へ向けて突設している。
【００３３】
このような構成の装着係合部７０を装着係合受開口部４０へ係合するには、装着係合部７０を可撓部７５側から装着係合受開口部４０内に挿入し、係合爪７４を装着係合受開口部４０の縁部分で押圧して可撓部７５を撓ませながら係合基部７３側に移動させる。そして、さらに装着係合部７０を挿入して、係合爪７４を装着係合受開口部４０の縁部よりも装着ベース３７の内側に入り込ませる。すると、係合爪７４の押圧が解除されて可撓部７５の復元力により係合爪７４が係合基部７３から離れる方向へ移動し、係合爪７４の尖端部が装着係合受開口部４０の縁部よりも側方に移動して装着ベース３７の内側部に引っ掛かり、この結果、装着係合部７０と装着ベース３７とが係合した状態となる。なお、この係合状態では、ストッパー７７が装着係合受開口部４０の縁部へ当接し、これにより装着解除操作部７１が装着係合受開口部４０の中に入り込んでしまう不具合を防いでいる。
【００３４】
また、係合状態の装着係合部７０と装着係合受開口部４０との係合状態を解除するには、装着解除操作部７１を係合基部７３側へ押圧して可撓部７５を撓ませ、係合爪７４の尖端部を装着係合受開口部４０の縁部分よりも内側に移動して装着ベース３７の内側部への引っ掛かりを外す。そして、この引っ掛かりを外した状態、すなわち装着解除操作部７１を係合基部７３側へ押圧した状態で装着係合部７０を装着係合受開口部４０から引き抜くと、装着係合部７０と装着係合受開口部４０との係合状態が解除される。
【００３５】
装着解除被覆部材７２は、装着開閉部３８に対して着脱可能な状態で備えられた縦長な保護部材である。そして、図６（ａ）に示すように、装着係合部７０の縦寸法よりも十分に長い縦向き短冊状の被覆本体部８２を備え、該被覆本体部８２の上下両縁部、および装着開閉部３８とは反対側の側縁部（図６（ａ）中、右側縁部）から被覆壁部８３を装着ベース３７側（前方）へ向けて延設して、当該装着解除被覆部材７２の前面および装着開閉部３８に対向する側面（図６（ａ）中、左側面）を大きく開口した状態に構成されている。さらに、被覆本体部８２の上下両側には、被覆止着孔８４を前後方向へ貫通し、該被覆止着孔８４にビス等の被覆止着部材８５を通して装着開閉部３８の被覆止着ボス８０に止着して装着解除被覆部材７２を装着開閉部３８に取り付け、被覆止着部材８５の止着状態を解除して装着解除被覆部材７２を装着開閉部３８から取り外せるように構成されている。そして、装着解除被覆部材７２を装着開閉部３８へ取り付けた状態では、装着解除操作部７１を装着解除被覆部材７２および装着開閉部３８の側部で囲って装着解除操作部７１の操作を阻止するが（図７（ｂ）参照）、装着係合部７０は装着解除被覆部材７２に覆われずに露出するように構成されている（図４（ｂ）参照）。
【００３６】
一方、ベース部材２２に係合するカバー係合機構６４は、図６（ｂ）および図７（ａ）に示すように、ベース部材２２のカバー係合受開口部３５へ挿入して係合可能なカバー係合部９０と、該カバー係合部９０に接続されたカバー解除操作部９１と、カバー係合部９０を露出した状態でカバー解除操作部９１を被覆可能なカバー解除被覆部材９２とを備えて構成されている。カバー係合部９０は、カバー壁部６１からカバー本体部６０とは反対方向（前方）へ延設された縦長短冊状の係合基部９３を備え、該係合基部９３の側方（図７（ａ）中、右側方）には、外方へ突出した形状の係合爪９４を上下に２つ並べて配置している。そして、各係合爪９４と係合基部９３の延設端（前端）とを断面略Ｕ字状の可撓部９５でそれぞれ接続するとともに、各係合爪９４のうち可撓部９５とは反対側の端部（後端部）を縦長短冊状の接続片９６で接続し、可撓部９５を撓ませることで２つの係合爪９４および接続片９６を一体にして左右方向へ移動できるように構成されている。また、接続片９６のうち係合爪９４とは反対側の縁部（後縁部）には、舌片状のカバー解除操作部９１を可撓部９５とは反対方向（後方）へ向けて突設している。さらに、カバー解除操作部９１と接続片９６との境界部分およびカバー壁部６１と係合基部９３との境界部分には、段差あるいは突起を設けてストッパー９７（操作側ストッパー９７ａおよび基部側ストッパー９７ｂ）を形成している（図７（ｂ）参照）。
【００３７】
なお、カバー壁部６１の延設端（前端）のうちカバー係合部９０の上方および下方に位置する部分には、ベース部材２２の裏面側に当接可能なフランジ部９９を側方（図６（ｂ）中、右側方）へ向けて延設し、該フランジ部９９のうちカバー係合部９０の近傍には、カバー解除被覆部材９２を止着するための被覆止着ボス１００をカバー本体部６０の位置する方向（後方）へ向けて突設している。
【００３８】
このような構成のカバー係合部９０をカバー係合受開口部３５へ係合するには、カバー係合部９０を可撓部９５側からカバー係合受開口部３５内に挿入し、係合爪９４をカバー係合受開口部３５の縁部分で押圧して可撓部９５を撓ませながら係合基部９３側に移動させる。そして、さらにカバー係合部９０を挿入して、係合爪９４をカバー係合受開口部３５の縁部よりもベース部材２２の内側に入り込ませる。すると、係合爪９４の押圧が解除されて可撓部９５の復元力により係合爪９４が係合基部９３から離れる方向へ移動し、係合爪９４の尖端部がカバー係合受開口部３５の縁部よりも側方に移動してベース部材２２の内側部に引っ掛かり、この結果、カバー係合部９０とベース部材２２とが係合した状態となる。なお、この係合状態では、ストッパー９７がカバー係合受開口部３５の縁部へ当接し、これによりカバー解除操作部９１がカバー係合受開口部３５の中に入り込んでしまう不具合を防いでいる。
【００３９】
また、係合状態のカバー係合部９０とカバー係合受開口部３５との係合状態を解除するには、カバー解除操作部９１を係合基部９３側へ押圧して可撓部９５を撓ませ、係合爪９４の尖端部をカバー係合受開口部３５の縁部分よりも内側に移動してベース部材２２の内側部への引っ掛かりを外す。そして、この引っ掛かりを外した状態、すなわちカバー解除操作部９１を係合基部９３側へ押圧した状態でカバー係合部９０をカバー係合受開口部３５から引き抜くと、カバー係合部９０とカバー係合受開口部３５との係合状態が解除される。
【００４０】
カバー解除被覆部材９２は、カバー体２７に対して着脱可能な状態で備えられた縦長な保護部材である。そして、図６（ｂ）に示すように、カバー係合部９０の縦寸法よりも十分に長い縦向き短冊状の被覆本体部１０２を備え、該被覆本体部１０２の上下両縁部、およびカバー体２７とは反対側の側縁部（図６（ｂ）中、右側縁部）から被覆壁部１０３をベース部材２２側（前方）へ向けて延設して、当該カバー解除被覆部材９２の前面およびカバー体２７に対向する側面（図６（ｂ）中、左側面）を大きく開口した状態に構成されている。さらに、被覆本体部１０２の上下両側には、被覆止着孔１０４を前後方向へ貫通し、該被覆止着孔１０４にビス等の被覆止着部材１０５を通してカバー体２７の被覆止着ボス１００に止着してカバー解除被覆部材９２をカバー体２７に取り付け、被覆止着部材１０５の止着状態を解除してカバー解除被覆部材９２をカバー体２７から取り外せるように構成されている。そして、カバー解除被覆部材９２をカバー体２７へ取り付けた状態では、カバー解除操作部９１をカバー解除被覆部材９２およびカバー壁部６１で囲ってカバー解除操作部９１の操作を阻止するが（図７（ｂ）参照）、カバー係合部９０はカバー解除被覆部材９２に覆われずに露出するように構成されている（図４（ｂ）参照）。
【００４１】
次に、上記した構成を備えた遊技盤７における作用、特に、遊技制御ユニット２６の着脱作用、装着開閉部３８およびカバー体２７の開閉作用について説明する。なお、装着開閉部３８は、装着解除被覆部材７２を取り付けた状態で装着ベース３７に対して開いた状態になっているものとする（図４（ｂ）参照）。また、カバー体２７は、カバー解除被覆部材９２を取り付けた状態でベース部材２２に対して開いた状態になっているものとする（図５（ｂ）参照）。さらに、演出制御ユニット２５は予めベース部材２２に装着されているものとする。
【００４２】
まず、ユニット装着部２３に遊技制御ユニット２６を取り付けるには、装着開閉部３８を回動して取付作業の行い易い位置に設定するとともに、遊技制御ユニット２６を遊技制御コネクタ部５３が遊技制御装着部４４とは反対方向（後方）へ向いた姿勢に設定し（図４参照）、この設定状態で遊技制御ユニット２６を遊技制御装着部４４に重ねる。そして、遊技制御ユニット２６で係止爪４８を押し込んで撓み片４７を装着ベース３７寄りに撓ませ、遊技制御装着部４４の嵌脱部４６に遊技制御ユニット２６の装着突起５５を通す。嵌脱部４６に装着突起５５を通したならば、この状態で遊技制御ユニット２６を遊技制御装着部４４に沿ってスライドし、装着突起５５を装着溝部４５へ嵌合する。すると、係止爪４８を押圧していた遊技制御ユニット２６が係止爪４８から側方に外れ、撓み片４７の復元力により係止爪４８が遊技制御ユニット２６の側縁部に係止する。したがって、係止爪４８は、遊技制御ユニット２６のスライド、詳しくは装着突起５５を嵌脱部４６に戻して外す方向へのスライドを規制する。さらに、遊技制御ボックス５２の止着部５６が遊技制御装着部４４の止着ボス４９に重なる。止着部５６と止着ボス４９とが重なったならば、ビス等の止着部材１０８（図４（ａ）参照）で止着部５６と止着ボス４９とを止着して、遊技制御ユニット２６のスライドをさらに規制する。このようにして遊技制御ユニット２６が装着開閉部３８の裏面側（すなわち遊技制御装着部４４）に止着部材１０８を介して装着される。また、遊技制御装着部４４を備えた装着開閉部３８を回動自在な状態で軸着してあるので、メーカーにおける遊技盤７の組立作業においては、装着開閉部３８を開いて遊技盤７から離し、遊技制御ユニット２６の取り付けを行い易くすることができる。これにより遊技盤７の製造効率の向上を図ることができる。
【００４３】
そして、遊技制御ユニット２６を装着した状態で装着開閉部３８を閉状態へ変換して装着ベース３７へ十分に押し当てると、露出状態の装着係合部７０が装着係合受開口部４０へ挿入されて装着ベース３７に係合する。この結果、遊技制御ユニット２６は、ユニット装着部２３を介して遊技盤７の後部に配置され、遊技盤本体２０に近づけた状態で略平行となる姿勢に設定される。さらに、この係合状態では、装着係合部７０側のみ被覆されていなかった装着解除操作部７１を装着ベース３７で装着係合部７０側からも被覆する。これにより、装着解除被覆部材７２と装着開閉部３８の縁部と装着ベース３７とで囲繞して装着解除操作部７１の操作を不能にし、装着係合部７０と装着ベース３７との係合状態の解除を規制する（図７（ｂ）参照）。したがって、不正目的で遊技制御ユニット２６を取り外そうとする不正行為者の作業においては、複数の被覆止着部材８５を外して装着解除被覆部材７２を除去して装着解除操作部７１を露出させ、この後に装着解除操作部７１を操作して装着係合部７０と装着ベース３７との係合状態を解除する必要がある。この結果、装着開閉部３８を容易に開くことができず、遊技盤本体２０側に遊技制御ユニット２６を配置した状態を維持することができる。このことから、遊技制御ユニット２６の取り外し作業を楽な姿勢で行おうとすることを阻止することができ、取り外し作業を手間取らせて作業完了を遅らせることができる。
【００４４】
遊技制御ユニット２６を取り付けた装着開閉部３８を閉じたならば、遊技制御ユニット２６の遊技制御コネクタ部５３と演出制御ユニット２５の演出制御コネクタ部３１とを配線接続する。配線接続が完了したならば、カバー体２７を閉状態へ変換してベース部材２２へ十分に押し当てる。すると、カバー本体部６０により演出制御ユニット２５を後方から被覆するとともに、コネクタ保護部６５を遊技制御コネクタ部５３の後方から接近させ、このコネクタ保護部６５により複数の遊技制御コネクタ部５３（すなわち遊技制御ユニット２６の一部）を被覆する。この結果、コネクタ保護部６５は、遊技制御コネクタ部５３から配線が外されることを阻止するとともに、遊技制御ユニット２６が遊技盤７（遊技盤本体２０）から後方へ離れることを阻止する。さらに、露出状態のカバー係合部９０がカバー係合受開口部３５へ挿入されてベース部材２２へ係合する。したがって、カバー解除操作部９１が被覆されていたとしてもカバー体２７を閉じるだけでカバー係合部９０をベース部材２２へ係合することができ、簡単な動作でカバー体２７を閉状態に維持することができる。このため、複雑な構成の止着部材を備えてカバー体２７の閉状態を維持する必要がなく、遊技盤７の製造コストの低減、ひいてはパチンコ遊技機１の製造コストの低減を図ることができる。
【００４５】
そして、この係合状態では、カバー係合部９０側のみ被覆されていなかったカバー解除操作部９１をベース部材２２でカバー係合部９０側からも被覆する。これにより、カバー解除被覆部材９２とカバー壁部６１とベース部材２２とで囲繞してカバー解除操作部９１の操作を不能にし、カバー係合部９０とベース部材２２との係合状態の解除を規制する（図７（ｂ）参照）。したがって、組立作業に何ら支障を来たすことなくカバー体２７が容易に開放されることを防ぐことができ、遊技制御ユニット２６の一部がカバー体２７の一部、詳しくはコネクタ保護部６５で覆われる状態を維持することができる。このことから、遊技制御ユニット２６の取り外し作業の手間を増やすことができる。これにより、不正目的で遊技制御ユニット２６を取り外そうとする不正行為者の作業を長引かせることができ、不正行為の摘発や防止を促進することができる。
【００４６】
また、メンテナンス作業等でカバー体２７を開状態にする必要がある場合には、被覆止着部材１０５による止着状態を解除してカバー解除被覆部材９２を取り外す。すると、カバー体２７は、カバー解除操作部９１を露出して操作可能とし、カバー係合部９０とベース部材２２との係合状態の解除を許容する。一方、装着開閉部３８を開状態にする必要がある場合には、被覆止着部材８５による止着状態を解除して装着解除被覆部材７２を取り外す。すると、装着開閉部３８は、装着解除操作部７１を露出して操作可能とし、装着係合部７０と装着ベース３７との係合状態の解除を許容する。したがって、カバー解除被覆部材９２および装着解除被覆部材７２を備えたとしても、カバー解除操作部９１および装着解除操作部７１が常時操作不能になることはなく、再びカバー体２７および装着開閉部３８を開いて、パチンコ遊技機１のメンテナンス作業等を行うことができる。
【００４７】
ところで、上記実施形態では、遊技制御ユニット２６と装着解除被覆部材７２とを係止しない構成としたが、本発明はこれに限定されず、遊技制御ユニット２６と装着解除被覆部材７２とを係止してもよい。例えば、図８に示す第２実施形態では、遊技制御ユニット２６は、止着部５６の先端部分（図８（ａ）中、右端部）に楔状のユニット側係止部１１０を遊技制御装着部４４とは反対側へ向けて突設し、該ユニット側係止部１１０を止着部５６の先端から遊技制御ユニット２６の中央側へ向けて次第に突出する状態に設定している。そして、ユニット側係止部１１０のうち遊技制御ユニット２６の中央部寄りに位置する端部（図８（ａ）中、左端部）には、返し部として機能する起立面部１１０ａを遊技制御ユニット２６の中央側へ向けた状態で形成している。また、装着解除被覆部材７２は、被覆本体部８２のうち被覆壁部８３を延設していない側縁部に、ユニット側係止部１１０に係止可能な楔状の被覆側係止部１１１を遊技制御装着部４４へ向けて突設し、該被覆側係止部１１１を被覆本体部８２の側端部から中央部分へ向けて次第に突出する状態に設定している。そして、被覆側係止部１１１のうち被覆本体部８２の中央寄りに位置する端部（図８（ａ）中、右端部）には、返し部として機能する起立面部１１１ａを被覆本体部８２の中央側へ向けた状態で形成している。
【００４８】
このようなユニット側係止部１１０および被覆側係止部１１１を備え、装着解除被覆部材７２を取り付けた状態で遊技制御ユニット２６を遊技制御装着部４４上にスライドさせて装着開閉部３８へ装着して止着部５６を被覆本体部８２と装着開閉部３８との間に差し入れると、図８（ｂ）に示すように、起立面部１１０ａ，１１１ａを当接した状態でユニット側係止部１１０と被覆側係止部１１１とが係止して遊技制御ユニット２６が装着解除被覆部材７２から離れる方向へスライドすること、すなわち装着開閉部３８から外れることを規制する。なお、遊技制御ユニット２６は、この規制状態で止着部材１０８により装着開閉部３８へ止着される（図８（ｃ）参照）。また、ユニット側係止部１１０と被覆側係止部１１１とが係止した状態で装着開閉部３８から装着解除被覆部材７２を取り外すとともに止着部材１０８を取り外せば、ユニット側係止部１１０と被覆側係止部１１１との係止状態が解除されて遊技制御ユニット２６が装着開閉部３８から外れることを許容する。このようにして遊技制御ユニット２６と装着解除被覆部材７２とを係止すれば、装着解除被覆部材７２を取り外さなければ、遊技制御ユニット２６を取り外すことができないように構成することができる。したがって、不正行為者が遊技制御ユニット２６の取り外し作業に手間取り易くなり、この結果、不正行為の摘発や防止を一層図ることができる。
【００４９】
ところで、上記実施形態では、装着解除被覆部材７２を止着する複数の被覆止着部材８５を専ら装着開閉部３８へ止着するための部品として構成したが、本発明はこれに限定されない。例えば、図９に示すように、複数の被覆止着部材の一部を用いて、装着開閉部３８と遊技制御ユニット２６と装着解除被覆部材７２とを止着するように構成してもよい。
【００５０】
具体的に説明すると、図９に示す第３実施形態において、装着開閉部３８には、遊技制御ユニット２６を止着するための止着ボス４９と装着解除被覆部材７２を止着するための被覆止着ボス８０とを横に隣り合う状態で配置し、装着解除被覆部材７２の被覆本体部８２の上下両側には、被覆止着ボス８０の後方に位置する被覆止着孔１１３と止着ボス４９の後方に位置する止着孔１１４とを横に並べた状態で開設している。そして、止着ボス４９と装着解除被覆部材７２との間、詳しくは止着ボス４９と止着孔１１４との間に遊技制御ユニット２６から突出した止着部５６を差し入れ、この状態で被覆止着孔１１３および止着孔１１４にビス等の被覆止着部材１１５を通し、被覆止着孔１１３に通した被覆止着部材１１５により装着開閉部３８と装着解除被覆部材７２とを止着し、止着孔１１４に通した被覆止着部材１１５により装着開閉部３８と遊技制御ユニット２６と装着解除被覆部材７２とを止着している。したがって、遊技制御ユニット２６と装着開閉部３８とを止着する部材を、装着解除被覆部材７２と装着開閉部３８とを止着する部材とは別個に設ける必要がない。これにより、遊技制御ユニット２６を止着する構成の製造コストを抑えることができる。また、不正行為者がどの部材を外せば遊技制御ユニット２６を取り外せるかを判別し難くなり、不正行為の遅延を促進することができる。
【００５１】
ところで、上記実施形態では、カバー解除操作部９１をカバー係合部９０の延設方向とは反対方向に突設して、カバー解除被覆部材９２を取り外した状態では指等で押圧して解除操作をし易いように構成したが、本発明はこれに限定されず、カバー解除被覆部材を取り外しただけでは、まだカバー係合部９０とベース部材２２との係合を容易に解除できない状態に設定されているように構成してもよい。
【００５２】
例えば、図１０に示す第４実施形態では、基本的な構成は上記第１実施形態と同じであるが、カバー解除操作部９１を指等では押圧し難いように設定し、その代りに、取り外したカバー解除被覆部材の一部を利用してカバー係合部９０の解除操作を行えるように構成されている点で異なる。具体的に説明すると、カバー係合機構６４は、図１０（ｂ）に示すように、カバー解除操作部９１を接続片９６の端部（後端部）から側方へ小さく突設し、カバー係合部９０をベース部材２２に係合した状態ではカバー係合受開口部３５の縁部に沿って重なる姿勢となり、カバー係合部９０の解除を行おうとする者の指では引っ掛け難くなるように構成されている。また、ベース部材２２には、カバー係合受開口部３５側（図１０（ａ）中、右側）の側面部、具体的には、側面部のうちカバー係合受開口部３５に挿入（係合）された状態の係合爪９４の側方に位置する箇所に縦長なスリット状の連通口１１８を開設し、該連通口１１８をカバー係合受開口部３５に連通させている。
【００５３】
さらに、第４実施形態のカバー解除被覆部材１２０には、図１０（ａ）および（ｂ）に示すように、カバー係合部９０の縦寸法よりも十分に長い縦向き短冊状の被覆本体部１２１を備え、該被覆本体部１２１のうちカバー体２７とは反対側の側縁部（図１０（ａ）中、右側縁部）には、連通口１１８を閉成可能な閉成部１２２をベース部材２２側（前方）へ向けて延設して、係合爪９４の側方を覆う状態で配置している。また、閉成部１２２の上下幅を連通口１１８のスリット長さよりも僅かに狭く設定し、この閉成部１２２の先端部を連通口１１８に挿通可能な挿通部１２３としている。
【００５４】
このような構成のカバー解除被覆部材１２０等を備え、カバー解除被覆部材１２０を取り付けた状態でカバー体２７を閉状態へ変換してカバー係合部９０をベース部材２２へ係合すると、カバー解除被覆部材１２０がカバー解除操作部９１を覆って操作不能とし、さらには、閉成部１２２が連通口１１８を閉成する。したがって、カバー解除被覆部材１２０を取り外さなければ、カバー解除操作部９１を操作したり、あるいは連通口１１８から工具などを差し入れて係合爪９４を直接押圧したりして、カバー係合部９０とベース部材２２との係合を解除しようとすることができない。また、カバー解除被覆部材１２０を取り外すと、カバー解除操作部９１および連通口１１８が露出する。このとき、カバー解除操作部９１が指では操作し難いように設定しているので、露出した連通口１１８に挿通部１２３を挿通してカバー係合部９０の係合爪９４を押圧して、カバー係合受開口部３５との係合状態を解除可能となる。
【００５５】
すなわち、カバー体２７を開くためには、カバー解除被覆部材１２０を取り外し、それだけはなく、この取り外したカバー解除被覆部材１２０の挿通部１２３を連通口１１８に挿入して係合爪９４を押圧しなければならない。このことから、カバー体２７を開放するための手間を増やすことができる。これにより、不正目的でカバー体２７を開いて遊技制御ユニット２６を取り外そうとする不正行為者の作業を一層長引かせることができ、不正行為の摘発や防止をさらに促進することができる。
【００５６】
なお、カバー解除被覆部材１２０は、図１０（ｃ）に示すように、閉成部１２２の幅（上下幅）Ｗ１を連通口１１８のスリット長さＬよりも広く設定し、且つ挿通部１２３の幅（上下幅）Ｗ２を連通口１１８のスリット長さＬよりも狭く設定すれば、閉成部１２２で連通口１１８を十分に閉塞することができて好適である。さらに、遊技店の店員やメーカーの従業員等が行う正規のメンテナンスにおいて、挿通部１２３を連通口１１８に挿入して係合爪９４を押圧する作業、すなわちカバー体２７を開く作業に支障を来たすことがない。
【００５７】
上記実施形態では、遊技制御ユニット２６をベース部材２２の近傍に配置し、カバー体２７の一部により遊技制御ユニット２６の一部を後方から被覆できるように構成したが、本発明はこれに限定されない。例えば、ベース部材２２に遊技制御ユニット２６を着脱可能な状態で備え、カバー体２７で遊技制御ユニット２６の全体を後方から被覆するように構成してもよい。要はカバー体２７により少なくとも遊技制御ユニット２６の一部を後方から被覆できる構成であればよい。
【００５８】
また、上記実施形態では、代表的な遊技機であるパチンコ遊技機を例にして説明したが、本発明はこれに限らず、着脱可能な遊技制御ユニットを配設し、少なくともこの遊技制御ユニットの一部をカバー体で覆う遊技機であればどのような遊技機でもよい。例えば、内部に封入した遊技球を循環させる封入球式パチンコ機、アレンジボール式遊技機、雀球式遊技機等の遊技機であってもよい。
【００５９】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００６０】
【図１】パチンコ遊技機の背面図である。
【図２】（ａ）は遊技盤の背面図、（ｂ）は遊技盤の斜視図である。
【図３】遊技盤の分解斜視図である。
【図４】（ａ）はユニット装着部と遊技制御ユニットの分解斜視図、（ｂ）は装着開閉部を開いた状態のユニット装着部の斜視図である。
【図５】（ａ）はカバー体の斜視図、（ｂ）はカバー体を開いた状態の遊技盤の斜視図である。
【図６】（ａ）は装着係合機構の説明図、（ｂ）はカバー係合機構の説明図である。
【図７】（ａ）は装着係合部およびカバー係合部の説明図、（ｂ）は装着係合機構およびカバー係合機構の断面図である。
【図８】第２実施形態における遊技制御ユニットおよび装着解除被覆部材の説明図であり、（ａ）はユニット側係止部と被覆側係止部とを係止する前の概略図、（ｂ）は両係止部を係止した状態の概略図、（ｃ）は両係止部を係止した後に、止着部材で遊技制御ユニットを止着した状態の概略図である。
【図９】第３実施形態における装着開閉部、遊技制御ユニットおよび装着解除被覆部材の説明図であり、（ａ）は背面図、（ｂ）は分解斜視図である。
【図１０】第４実施形態におけるカバー係合機構の説明図であり、（ａ）はベース部材と開いた状態のカバー体との斜視図、（ｂ）はカバー係合機構およびその周辺の拡大斜視図、（ｃ）はカバー解除被覆部材の変形例を示す説明図である。
【符号の説明】
【００６１】
１  パチンコ遊技機
７  遊技盤
２２  ベース部材
２３  ユニット装着部
２５  演出制御ユニット
２６  遊技制御ユニット
２７  カバー体
３５  カバー係合受開口部
３７  装着ベース
３８  装着開閉部
４０  装着係合受開口部
４３  装着係合機構
４４  遊技制御装着部
４５  装着溝部
５３  遊技制御コネクタ部
５６  止着部
６０  カバー本体部
６１  カバー壁部
６４  カバー係合機構
６５  コネクタ保護部
７０  装着係合部
７１  装着解除操作部
７２  装着解除被覆部材
７４  係合爪
８０  被覆止着ボス
８２  被覆本体部
８３  被覆壁部
８４  被覆止着孔
８５  被覆止着部材
９０  カバー係合部
９１  カバー解除操作部
９２  カバー解除被覆部材
９４  係合爪
１００  被覆止着ボス
１０２  被覆本体部
１０３  被覆壁部
１０４  被覆止着孔
１０５  被覆止着部材
１０８  止着部材
１１０  ユニット側係止部
１１１  被覆側係止部
１１５  被覆止着部材
１１８  連通口
１２０  カバー解除被覆部材
１２２  閉成部
１２３  挿通部
【図１】
2008073196.tif 000003
【図２】
2008073196.tif 000004
【図３】
2008073196.tif 000005
【図４】
2008073196.tif 000006
【図５】
2008073196.tif 000007
【図６】
2008073196.tif 000008
【図７】
2008073196.tif 000009
【図８】
2008073196.tif 000010
【図９】
2008073196.tif 000011
【図１０】
2008073196.tif 000012